(57)【特許請求の範囲】
【請求項１】
屋根材(1)の勾配に合わせて種々の勾配角度に傾斜して配設される鉄骨製屋根骨枠(2)に直交して水平材である鉄骨製母屋(3)を固着し、この鉄骨製母屋(3)を利用して、これに天井吊りボルト(4)を取り付けるようにした天井吊りボルト取付装置であって、鉄骨製母屋(3)は、縦フランジ部(3a)とその上部の上フランジ部(3b)とその下部の下フランジ部(3c)と上下フランジ部(3b),(3c)の先端部に開口部(3d)を挟んで互いに対向して突設される上下リップ部(3e),(3f)とからなるリップ付き溝形鋼３からなり、該取付装置の取付金具(5)は、天井吊りボルト(4)が垂直に嵌挿され且つねじ止めされるためのネジ止め孔(6a)を有する水平基部片(6)と、水平基部片(6)の両端部から立ち上がる立ち上がり部片(7),(8)とからなり、そのうちの一方の立ち上がり部片(7)又は(8)がリップ付き溝型鋼(3)の下リップ部(3f)に係合され、他方の立ち上がり部片(8)又は(7)がリップ付き溝型鋼(3)の縦フランジ部(3a)にビス止めされ、しかして前記水平基部片(6)のねじ止め孔(6a)に天井吊りボルト(4)がねじ込まれて該ボルト(4)の上端部(4a)がリップ付き溝型鋼(3)の下フランジ部(3c)の下面に圧接されることによって、天井吊りボルト(4)が天井吊りボルト取付金具(5)を介して鉄骨製母屋であるリップ付き溝型鋼(3)に垂直に取り付けられるようになっている天井吊りボルト取付装置。
【請求項２】
屋根材(1)の勾配に合わせて種々の勾配角度に傾斜して配設される鉄骨製屋根骨枠(2)に直交して水平材である鉄骨製母屋(3)を固着し、この鉄骨製母屋(3)を利用して、これに天井吊りボルト(4)を取り付けるようにした天井吊りボルト取付装置であって、鉄骨製母屋(3)は、縦フランジ部(3a)とその上部の上フランジ部(3b)とその下部の下フランジ部(3c)と上下フランジ部(3b),(3c)の先端部に開口部(3d)を挟んで互いに対向して突設される上下リップ部(3e),(3f)とからなるリップ付き溝形鋼(3)からなり、該リップ付き溝型鋼(3)は、その前記開口部(3d)が鉄骨製屋根骨枠(2)に傾斜上り側に向くように固着され、該取付装置の取付金具(5)は、天井吊りボルト(4)が垂直に嵌挿され且つねじ止めされるねじ止め孔(6a)を有する水平基部片(6)に対して、その一端部から立ち上がる立ち上がり部片(7)は、リップ付き溝型鋼(3)の下フランジ部(3c)の下面に先端部(7a1)が当接する立ち上がり部(7a)と、該立ち上がり部(7a)の先端部(7a1)から折曲され上記下フランジ部(3c)の下面に沿って下リップ部(3f)側に延びて下フランジ部１ｃの下面に当接する下フランジ部当接部(7b)と、下フランジ部当接部(7b)から下リップ部(3f)の外側面に沿って立ち上がり下リップ部(3f)の外側面に当接する下リップ部当接部(7c)と、下リップ部当接部(7c)の上端部から下リップ部(3f)の内側面側に下向きＵ字状に折曲して下リップ部(3f)に係合する下リップ部係合部(7d)とからなり、前記水平基部片(6)に対してその他端部から立ち上がる立ち上がり部(8)は、前記縦フランジ部(3a)の下端部まで立ち上がる立ち上がり部(8a)と、該立ち上がり部(8a)の上部に一体に延長して前記縦フランジ部(3a)の外側面に沿って延びて該縦フランジ部(3a)に当接すると共に該縦フランジ部(3a)にビス止めするためのビス挿通孔(81)を有する縦フランジ部当接部(8b)とからなり、しかして該天井吊りボルト取付金具(5)の前記下リップ部係合部(7d)がリップ付き溝型鋼(3)の下リップ部(3f)に係合されると共に、縦フランジ部当接部(8b)のビス挿通孔(81)からビス(9)がリップ付き溝型鋼(3)の縦フランジ部(3a)にねじ込まれ、前記水平基部片(6)のねじ止め孔(6a)に天井吊りボルト(4)がねじ込まれ、該ボルトの上端部(4a)がリップ付き溝型鋼(3)の下フランジ部(3c)の下面に圧接されることによって、天井吊りボルト(4)が天井吊りボルト取付金具(5)を介して鉄骨製母屋であるリップ付き溝型鋼(3)に垂直に取り付けられるようになっている天井吊りボルト取付装置。
【請求項３】
屋根材(1)の勾配に合わせて種々の勾配角度に傾斜して配設される鉄骨製屋根骨枠(2)に直交して水平材である鉄骨製母屋(3)を固着し、この鉄骨製母屋(3)を利用して、これに天井吊りボルト(4)を取り付けるようにした天井吊りボルト取付装置であって、鉄骨製母屋(3)は、縦フランジ部(3a)とその上部の上フランジ部(3b)とその下部の下フランジ部(3c)と上下フランジ部(3b),(3c)の先端部に開口部(3d)を挟んで互いに対向して突設される上下リップ部(3e) ,(3f)とからなるリップ付き溝形鋼(3)からなり、該リップ付き溝型鋼(3)は、その前記開口部(3d)が鉄骨製屋根骨枠(2)に傾斜下り側に向くように固着され、該取付装置の取付金具(5)は、天井吊りボルト(2)が垂直に嵌挿され且つねじ止めされるねじ止め孔(6a)を有する水平基部片(6)に対して、その一端部から立ち上がる立ち上がり部片(7)は、前記縦下リップ部(3f)の下端部まで立ち上がる立ち上がり部(7a)と、該立ち上がり部(7a)の上部に一体に延長して前記下リップ部(3f)の外側面に沿って延びて該下リップ部(3f)に当接する下リップ部当接部(7c)と、下リップ部当接部(7c)の上端部から下リップ部(3f)の内側面側に下向きＵ字状に折曲して下リップ部(3f)に係合する下リップ部係合部(7d)とからなり、前記水平基部片(6)に対してその他端部から立ち上がる立ち上がり部片(8)は、リップ付き溝型鋼(3)の下フランジ部(3c)の下面に先端部(8a1)が当接する立ち上がり部(8a)と、該立ち上がり部(8a)の先端部(8a1)から折曲され上記下フランジ部(3c)の下面に沿って縦フランジ(3a)側に延びて下フランジ部(3c)の下面に当接する下フランジ部当接部(8c)と、下フランジ部当接部(8c)から縦フランジ部(3a)の外側面に沿って立ち上がり縦フランジ部(3a)の外側面に当接すると共に該縦フランジ部(3a)にビス止めするためのビス挿通孔(81)を有する縦フランジ部当接部(8b)とからなり、しかして該天井吊りボルト取付金具(5)の前記下リップ部係合部(7d)をリップ付き溝型鋼(3)の下リップ部(3f)に係合すると共に、縦フランジ部当接部(8b)のビス挿通孔(81)からビス(9)をリップ付き溝型鋼(3)の縦フランジ部(3a)にねじ込み、前記水平基部片(6)のねじ止め孔(6a)に天井吊りボルト(4)がねじ込まれ、該ボルトの上端部(4a)がリップ付き溝型鋼(3)の下フランジ部(3c)の下面に圧接することによって、天井吊りボルト(4)が天井吊りボルト取付金具(5)を介して鉄骨製母屋であるリップ付き溝型鋼(3)に垂直に取り付けられるようになっている天井吊りボルト取付装置。
【請求項４】
天井吊りボルト取付金具(5)の水平基部片(6)と、その一端部の立ち上がり部片(7)の立ち上がり部(7a)と、その他端部の立ち上がり部片(8)の立ち上がり部(8a)と、リップ付き溝型鋼(3)の下フランジ部(3c)とに囲まれて空間部(10)が形成され、該空間部(10)で天井吊りボルト(4)の上端部(4a)付近が前記水平基部片(6)のネジ止め孔(6a)にねじ止めされ、且つその上端部(4a)がリップ付き溝型鋼(3)の下フランジ部(3c)に圧接されるようになっている請求項２又は３に記載の天井吊りボルト取付装置。
【請求項５】
前記水平基部片(6)の一端部又は他端部から立ち上がる立ち上がり部片(7)又は(8)の、リップ付き溝型鋼(3)の下フランジ部(3c)の下面に先端部(7a1)又は(8a1)が当接する立ち上がり部(7a)又は(8a)の水平基部片(6)に対する立ち上がり角度Θは直角となっている請求項２〜４の何れかに記載の天井吊りボルト取付装置。
【請求項６】
屋根材１の勾配に合わせて種々の勾配角度に傾斜して配設される鉄骨製屋根骨枠(2)に直交して固着される鉄骨製母屋であるリップ付き溝型鋼(3)は、鉄骨製屋根骨枠(2)の勾配上面(2a)に沿って取り付けられ、したがってリップ付き溝型鋼(3)は、その下フランジ部(3c)が鉄骨製屋根骨枠(2)の勾配上面(2a)にその勾配角度αに合わせて傾転状態に取り付けられるが、該リップ付き溝型鋼(3)に取り付けられる天井吊りボルト取付金具(5)の水平基部片(6)は、該リップ付き溝型鋼(3)の種々の傾転角度α状態にかかわらず、常に水平状態Ｐとなっている請求項１〜５の何れかに記載の天井吊りボルト取付装置。
【請求項７】
屋根材１の勾配に合わせて種々の勾配角度に傾斜して配設される鉄骨製屋根骨枠(2)に直交して固着される鉄骨製母屋であるリップ付き溝型鋼(3)は、鉄骨製屋根骨枠(2)の勾配上面(2a)に沿って取り付けられ、したがってリップ付き溝型鋼(3)は、鉄骨製屋根骨枠(2)の勾配角度αに合わせて傾転状態に鉄骨製屋根骨枠(2)の勾配上面(2a)に取り付けられるが、該リップ付き溝型鋼(3)に取り付けられる天井吊りボルト取付金具(5)の水平基部片(6)は、該リップ付き溝型鋼(3)の種々の傾転角度α状態にかかわらず、常に水平状態Ｐとなるように、前記水平基部片(6)の、その一端部の立ち上がり部片(7)の立ち上がり部(7a)と、その他端部の立ち上がり部片(8)の立ち上がり部(8a)との夫々の立ち上がり長さ(7a2),(8a2)を調整したものを、予め工場生産してなる請求項１〜６の何れかに記載の天井吊りボルト取付装置。
【発明の詳細な説明】
【技術分野】
【０００１】
本発明は、傾斜状に配置された勾配屋根に天井吊りボルトを垂直に吊支するための天井吊りボルト取付装置に関するものである
【背景技術】
【０００２】
従来、屋根材の勾配に合わせて種々の勾配角度に傾斜して配設される鉄骨製屋根骨枠から天井吊りボルトによって天井板を水平に吊持するための天井吊りボルト取付装置としては、特許第３８１７３４６号に係る従来技術が存在する。この従来技術を、図８によって説明すると、屋根下地や屋根ボード等の屋根材１の勾配に合わせて種々の勾配角度に傾斜して配設される鉄骨製屋根骨枠２の上面に、これに直交して固定具２０によって鉄骨製母屋であるリップ付き溝型鋼３が固着されている。そして、この鉄骨製屋根骨枠２に直接に取り付けられる板状の第１部材２１と、天井吊りボルト４が取り付けられる板状の第２部材２２とを重ね合わせて両者をその中心部Ｏを軸心として垂直面内を回転可能に枢着し、第１部材２１に対して第２部材２２をその中心部Ｏを回転中心として回転調整して、該第２部材２２に天井吊りボルト４を垂直に吊持させるようにしている。この従来技術であると、地震の際の衝撃や振動によって第２部材２２が第１部材２１に対して回転揺動して第２部材２２に取り付けられる天井吊りボルト４が左右に大きく揺動する危険性があり、天井吊りボルト４の揺動によって、これに吊持される天井板２３が破壊、落下する大きな要因となり、又、第１部材２１と第２部材２２とを、その回転中心部に枢着するために構造が複雑で製作費が高くつく難点があった。なお図中、周知のように、天井吊りボルト４の下端部にハンガー２４を介して野縁受け２５が取り付けられ、該野縁受け２５にフック部材２６を介して天井野縁２７が取り付けられ、該天井野縁２７に天井板２３が取り付けられるようになっている。
【発明の概要】
【発明が解決しようとする課題】
【０００３】
本発明は、上記従来技術のように、第１部材に対して、これとは別個に第２部材を転回可能に枢着することによって、地震の際に大きな横揺れや縦揺れが発生した時に、天井吊りボルトの揺動によって天井板が破壊、落下する危険性を払拭して、傾斜している鉄骨製屋根骨枠に強固に天井吊りボルトを吊持することができる天井吊りボルト取付装置を提案することを目的とするものである。
【課題を解決するための手段】
【０００４】
上記課題を解決するための手段を、後述する実施形態の参照符号を付して説明すると、請求項１に係る天井吊りボルト取付装置は、図１〜図４に示すように、屋根材１の勾配に合わせて種々の勾配角度に傾斜して配設される鉄骨製屋根骨枠２に直交して水平材である鉄骨製母屋３を固着し、この鉄骨製母屋３を利用して、これに天井吊りボルト４を取り付けるようにした天井吊りボルト取付装置であって、鉄骨製母屋３は、縦フランジ部３ａとその上部の上フランジ部３ｂとその下部の下フランジ部３ｃと上下フランジ部３ｂ，３ｃの先端部に開口部３ｄを挟んで互いに対向して突設される上下リップ部３ｅ，３ｆとからなるリップ付き溝形鋼３からなり、該取付装置の取付金具５は、天井吊りボルト４が垂直に嵌挿され且つねじ止めされるネジ止め孔６ａを有する水平基部片６と、水平基部片６の両端部から立ち上がる立ち上がり部片７，８とからなり、そのうちの一方の立ち上がり部片がリップ付き溝型鋼３の下リップ部３ｆに係合され、他方の立ち上がり部片８がリップ付き溝型鋼３の縦フランジ部３ｃにビス止めされ、しかして前記水平基部片６のねじ止め孔６ａに天井吊りボルト４がねじ込まれて該ボルト４の上端部４ａがリップ付き溝型鋼３の下フランジ部３ｃの下面に圧接されることによって、天井吊りボルト４が天井吊りボルト取付金具５を介して鉄骨製母屋であるリップ付き溝型鋼３に垂直に取り付けられるようになっていることを特徴とする。
【０００５】
請求項２に係る天井吊りボルト取付装置は、図１、図２及び図４に示すように、屋根材１の勾配に合わせて種々の勾配角度に傾斜して配設される鉄骨製屋根骨枠２に直交して水平材である鉄骨製母屋３を固着し、この鉄骨製母屋３を利用して、これに天井吊りボルト４を取り付けるようにした天井吊りボルト取付装置であって、鉄骨製母屋３は、縦フランジ部３ａとその上部の上フランジ部３ｂとその下部の下フランジ部３ｃと上下フランジ部３ｂ，３ｃの先端部に開口部３ｄを挟んで互いに対向して突設される上下リップ部３ｅ，３ｆとからなるリップ付き溝形鋼３からなり、該リップ付き溝型鋼３は、その前記開口部３ｄが鉄骨製屋根骨枠２に傾斜上り側に向くように固着され、該取付装置の取付金具５は、天井吊りボルト２が垂直に嵌挿され且つねじ止めされるねじ止め孔６ａを有する水平基部片６に対して、その一端部から立ち上がる立ち上がり部片７は、リップ付き溝型鋼３の下フランジ部３ｃの下面に先端部７ａ１が当接する立ち上がり部７ａと、該立ち上がり部７ａの先端部７ａ１から折曲され上記下フランジ部３ｃの下面に沿って下リップ部３ｆ側に延びて下フランジ部３ｃの下面に当接する下フランジ部当接部７ｂと、下フランジ部当接部７ｂから下リップ部３ｆの外側面に沿って立ち上がり下リップ部３ｆの外側面に当接する下リップ部当接部７ｃと、下リップ部当接部７ｃの上端部から下リップ部３ｆの内側面側に下向きＵ字状に折曲して下リップ部３ｆに係合する下リップ部係合部７ｄとからなり、前記水平基部片６に対してその他端部から立ち上がる立ち上がり部片８は、前記縦フランジ部３ａの下端部までの立ち上がる立ち上がり部８ａと、該立ち上がり部８ａの上部に一体に延長して前記縦フランジ部３ａの外側面に沿って延びて該縦フランジ部３ａに当接すると共に該縦フランジ部３ａにビス止めするためのビス挿通孔８１を有する縦フランジ部当接部８ｂとからなり、しかして該天井吊りボルト取付金具５の前記下リップ部係合部７ｄをリップ付き溝型鋼３の下リップ部３ｆに係合され、縦フランジ部当接部８ｂのビス挿通孔８１からビス９がリップ付き溝型鋼３の縦フランジ部３ａにねじ込まれ、前記水平基部片６のねじ止め孔６ａに天井吊りボルト４がねじ込まれて該ボルトの上端部４ａがリップ付き溝型鋼３の下フランジ部３ｃの下面に圧接されることによって、天井吊りボルト４が天井吊りボルト取付金具５を介して鉄骨製母屋であるリップ付き溝型鋼３に垂直に取り付けられるようになっていることを特徴とする。
【０００６】
請求項３に係る天井吊りボルト取付装置は、図３に示すように、屋根材１の勾配に合わせて種々の勾配角度に傾斜して配設される鉄骨製屋根骨枠２に直交して水平材である鉄骨製母屋３を固着し、この鉄骨製母屋３を利用して、これに天井吊りボルト４を取り付けるようにした天井吊りボルト取付装置であって、鉄骨製母屋３は、縦フランジ部３ａとその上部の上フランジ部３ｂとその下部の下フランジ部３ｃと上下フランジ部３ｂ，３ｃの先端部に開口部３ｄを挟んで互いに対向して突設される上下リップ部３ｅ，３ｆとからなるリップ付き溝形鋼３からなり、該リップ付き溝型鋼３は、その前記開口部３ｄが鉄骨製屋根骨枠２に傾斜下り側に向くように固着され、該取付装置の取付金具５は、天井吊りボルト２が垂直に嵌挿され且つねじ止めされるねじ止め孔６ａを有する水平基部片６に対して、その一端部から立ち上がる立ち上がり部片７は、前記縦下リップ部３ｆの下端部まで立ち上がる立ち上がり部７ａと、該立ち上がり部７ａの上部に一体に延長して前記下リップ部３ｆの外側面に沿って延びて該下リップ部３ｆに当接する下リップ部当接部７ｃと、下リップ部当接部７ｃの上端部から下リップ部３ｆの内側面側に下向きＵ字状に折曲して下リップ部３ｆに係合する下リップ部係合部７ｄとからなり、前記水平基部片６に対してその他端部から立ち上がる立ち上がり部片８は、リップ付き溝型鋼３の下フランジ部３ｃの下面に先端部８ａ１が当接する立ち上がり部８ａと、該立ち上がり部８ａの上端部から折曲され上記下フランジ部１ｃの下面に沿って縦フランジ３ａ側に延びて下フランジ部３ｃの下面に当接する下フランジ部当接部８ｃと、下フランジ部当接部８ｃから縦フランジ部３ａの外側面に沿って立ち上がり縦フランジ部３ａの外側面に当接すると共に該縦フランジ部３ａにビス止めするためのビス挿通孔８１を有する縦フランジ部当接部８ｂとからなり、しかして該天井吊りボルト取付金具５の前記下リップ部係合部７ｄをリップ付き溝型鋼３の下リップ部３ｆに係合され、縦フランジ部当接部８ｂのビス挿通孔８１からビス９がリップ付き溝型鋼３の縦フランジ部３ａにねじ込まれ、前記水平基部片６のねじ止め孔６ａに天井吊りボルト４がねじ込まれ、該ボルトの上端部４ａがリップ付き溝型鋼３の下フランジ部３ｃの下面に圧接されることによって、天井吊りボルト４が天井吊りボルト取付金具５を介して鉄骨製母屋であるリップ付き溝型鋼３に垂直に取り付けられるようになっていることを特徴とする。
【０００７】
請求項４に係る天井吊りボルト取付装置は、図１〜図４に示すように、天井吊りボルト取付金具５の水平基部片６と、その一端部の立ち上がり部片７の立ち上がり部７ａと、その他端部の立ち上がり部片８の立ち上がり部８ａと、リップ付き溝型鋼３の下フランジ部３ｃとに囲まれて空間部１０が形成され、該空間部１０で天井吊りボルト４の上端部４ａ付近が前記水平基部片６のネジ止め孔６ａにねじ止めされ、且つその上端部４ａがリップ付き溝型鋼３の下フランジ部３ｃに圧接されるようになっていることを特徴とする。
【０００８】
請求項５に係る天井吊りボルト取付装置は、図１、図５又は図３に示すように、請求項２〜４の何れかに記載の天井吊りボルト取付装置において、前記水平基部片６の一端部又は他端部から立ち上がる立ち上がり部片７又は８の、リップ付き溝型鋼３の下フランジ部３ｃの下面に先端部７ａ１又は８ａ１が当接する立ち上がり部７ａ又は８ａの水平基部片６に対する立ち上がり角度Θは直角となっていることを特徴とする。
【０００９】
請求項６に係る天井吊りボルト取付装置は、図５に示すように、請求項１〜５の何れかに記載の天井吊りボルト取付装置において、屋根材１の勾配に合わせて種々の勾配角度に傾斜して配設される鉄骨製屋根骨枠２に直交して固着される鉄骨製母屋であるリップ付き溝型鋼３は、鉄骨製屋根骨枠２の勾配上面２ａに沿って取り付けられ、したがってリップ付き溝型鋼３は、その下フランジ部３ｃが鉄骨製屋根骨枠２の勾配上面２ａにその勾配角度αに合わせて傾転状態に取り付けられるが、該リップ付き溝型鋼３に取り付けられる天井吊りボルト取付金具５の水平基部片６は、該リップ付き溝型鋼３の種々の傾転角度α状態にかかわらず、常に水平状態Ｐとなっていることを特徴とする。
【００１０】
請求項７に係る天井吊りボルト取付装置は、図５に示すように、請求項１〜６の何れかに記載の天井吊りボルト取付装置において、屋根材１の勾配に合わせて種々の勾配角度に傾斜して配設される鉄骨製屋根骨枠２に直交して固着される鉄骨製母屋であるリップ付き溝型鋼３は、鉄骨製屋根骨枠２の勾配上面２ａに沿って取り付けられ、したがってリップ付き溝型鋼３は、鉄骨製屋根骨枠２の勾配角度αに合わせて傾転状態に鉄骨製屋根骨枠２の勾配上面２ａに取り付けられるが、リップ付き溝型鋼３に取り付けられる天井吊りボルト取付金具５の水平基部片６は、該リップ付き溝型鋼３の傾転角度α状態にかかわらず、常に水平状態Ｐとなるように、前記水平基部片６の、その一端部の立ち上がり部片７の立ち上がり部７ａと、その他端部の立ち上がり部片８の立ち上がり部８ａとの夫々の立ち上がり長さ７ａ２，８ａ２を調整したものを、予め工場生産してなることを特徴とする。
【発明の効果】
【００１１】
上記解決手段による発明の効果を、後述する実施形態の参照符号を付して説明すると、請求項１に係る天井吊りボルト取付装置によれば、図１〜図４に示すように、屋根材１の勾配に合わせて種々の勾配角度に傾斜して配設される鉄骨製屋根骨枠２に直交して水平材である鉄骨製母屋３を固着し、この鉄骨製母屋であるリップ付き溝形鋼３を利用して、これに天井吊りボルト４を取り付けるようにしたもので、天井吊りボルト取付装置の取付金具５は、天井吊りボルト４が垂直に嵌挿され且つねじ止めされるためのネジ止め孔６ａを有する水平基部片６と、水平基部片６の両端部から立ち上がる立ち上がり部片７，８とからなり、そのうちの一方の立ち上がり部片７又は８がリップ付き溝型鋼３の下リップ部３ｅに係合され、他方の立ち上がり部片８又は７がリップ付き溝型鋼３の縦フランジ部３ｃにビス止めされ、しかして前記水平基部片６のねじ止め孔６ａに天井吊りボルト４がねじ込まれて該ボルト４の上端部４ａがリップ付き溝型鋼３の下フランジ部３ｃの下面に圧接することによって、天井吊りボルト４が天井吊りボルト取付金具５を介して鉄骨製母屋であるリップ付き溝型鋼３に垂直に取り付けられるようになっており、天井吊りボルト４は、その一端部がリップ付き溝型鋼３の下リップ部３ｅに係合され、他端部がリップ付き溝型鋼３の縦フランジ部３ｃにビス止めされた天井吊りボルト取付金具５によって鉄骨製母屋であるリップ付き溝型鋼３に取り付けられるようになっているため、天井吊りボルト４を鉄骨製母屋であるリップ付き溝型鋼３に強固に取り付けることができる。又、天井吊りボルト４を天井吊りボルト取付金具５にねじ込み先付けしたものを工場生産しておけば、取付現場では天井吊りボルト取付金具５をリップ付き溝型鋼３に取り付け、天井吊りボルト４の上端部４ａをリップ付き溝型鋼３の下フランジ部３ｃの裏面側に圧接するだけでよいから効率的に取付作業を行うことができると共に、取付現場に応じて、複数の天井吊りボルト取付金具５をリップ付き溝型鋼３に予め適当間隔に取り付け、後付けによって各天井吊りボルト取付金具５に順次天井吊りボルト４をねじ込み、その上端部４ａをリップ付き溝型鋼３の下フランジ部３ｃの裏面側に圧接するようにしても効率的に取付作業を行うことができる。
【００１２】
請求項２に係る天井吊りボルト取付装置によれば、図１、図２及び図４に示すように、リップ付き溝型鋼３が、その開口部３ｄが鉄骨製屋根骨枠２に傾斜上り側に向くように固着され、該取付装置の取付金具５は、天井吊りボルト２が垂直に嵌挿され且つねじ止めされるねじ止め孔６ａを有する水平基部片６に対して、その一端部から立ち上がる立ち上がり部片７は、リップ付き溝型鋼３の下フランジ部３ｃの下面に先端部７ａ１が当接するまで立ち上がる立ち上がり部７ａと、該立ち上がり部７ａの先端部７ａ１から折曲され上記下フランジ部３ｃの下面に沿って下リップ部３ｆ側に延びて下フランジ部３ｃの下面に当接する下フランジ部当接部７ｂと、下フランジ部当接部７ｂから下リップ部３ｆの外側面に沿って立ち上がり下リップ部３ｆの外側面に当接する下リップ部当接部７ｃと、下リップ部当接部７ｃの上端部から下リップ部３ｆの内側面側に下向きＵ字状に折曲して下リップ部３ｆに係合する下リップ部係合部７ｄとからなり、前記水平基部片６に対してその他端部から立ち上がる立ち上がり部８は、前記縦フランジ部３ａの下端部まで立ち上がる立ち上がり部８ａと、該立ち上がり部８ａの上部に一体に延長して前記縦フランジ部３ａの外側面に沿って延びて該縦フランジ部３ａに当接すると共に該縦フランジ部３ａにビス止めするためのビス挿通孔８１を有する縦フランジ部当接部８ｂとからなり、しかして該天井吊りボルト取付金具５の前記下リップ部係合部７ｄをリップ付き溝型鋼３の下リップ部３ｆに係合すると共に、縦フランジ部当接部８ｂのビス挿通孔８１からビス９がリップ付き溝型鋼１の縦フランジ部３ａにねじ込まれ、前記水平基部片６のねじ止め孔６ａに天井吊りボルト４がねじ込まれ、該ボルトの上端部４ａがリップ付き溝型鋼３の下フランジ部３ｃの下面に圧接されることによって、天井吊りボルト４が天井吊りボルト取付金具５を介して鉄骨製母屋であるリップ付き溝型鋼３に垂直に取り付けられるようになっているため、請求項１と同じように、天井吊りボルト４を鉄骨製母屋であるリップ付き溝型鋼３に強固に取り付けることができる。又、天井吊りボルト４を天井吊りボルト取付金具５にねじ込み先付けしたものを工場生産しておけば、取付現場では天井吊りボルト取付金具５をリップ付き溝型鋼３に取り付け、天井吊りボルト４の上端部４ａをリップ付き溝型鋼３の下フランジ部３ｃの裏面側に圧接するだけでよいから効率的に取付作業を行うことができると共に、取付現場に応じて、複数の天井吊りボルト取付金具５をリップ付き溝型鋼３に予め適当間隔に取り付け、現場での後付けによって各天井吊りボルト取付金具５に順次天井吊りボルト４をねじ込み、その上端部４ａをリップ付き溝型鋼３の下フランジ部３ｃの裏面側に圧接するようにしても効率的に取付作業を行うことができる。
【００１３】
請求項３に係る天井吊りボルト取付装置によれば、図３に示すように、リップ付き溝型鋼３が、その開口部３ｄが鉄骨製屋根骨枠２に傾斜下り側に向くように固着され、該取付装置の取付金具５は、天井吊りボルト２が垂直に嵌挿され且つねじ止めされるねじ止め孔６ａを有する水平基部片６に対して、その一端部から立ち上がる立ち上がり部片７は、前記縦下リップ部３ｆの下端部まで立ち上がる立ち上がり部７ａと、該立ち上がり部７ａの上部に一体に延長して前記下リップ部３ｆの外側面に沿って延びて該下リップ部３ｆに当接する下リップ部当接部７ｃと、下リップ部当接部７ｃの上端部から下リップ部３ｆの内側面側に下向きＵ字状に折曲して下リップ部３ｆに係合する下リップ部係合部７ｄとからなり、前記水平基部片６に対してその他端部から立ち上がる立ち上がり部片８は、リップ付き溝型鋼３の下フランジ部３ｃの下面に先端部８ａ１が当接する立ち上がり部８ａと、該立ち上がり部８ａの先端部８ａ１から折曲され上記下フランジ部１ｃの下面に沿って縦フランジ３ａ側に延びて下フランジ部３ｃの下面に当接する下フランジ部当接部８ｃと、下フランジ部当接部８ｃから縦フランジ部３ａの外側面に当接すると共に該縦フランジ部３ａにビス止めするためのビス挿通孔８１を有する縦フランジ部当接部８ｂとからなり、しかして該天井吊りボルト取付金具５の前記下リップ部係合部７ｄがリップ付き溝型鋼３の下リップ部３ｆに係合されると共に、縦フランジ部当接部８ｂのビス挿通孔８１からビス９がリップ付き溝型鋼１の縦フランジ部３ａにねじ込まれ、前記水平基部片６のねじ止め孔６ａに天井吊りボルト４がねじ込まれ、該ボルトの上端部４ａがリップ付き溝型鋼３の下フランジ部３ｃの下面に圧接されることによって、天井吊りボルト４が天井吊りボルト取付金具５を介して鉄骨製母屋であるリップ付き溝型鋼３に垂直に取り付けられるようになっているため、請求項１と同じように、天井吊りボルト４を鉄骨製母屋であるリップ付き溝型鋼３に強固に取り付けることができる。又、天井吊りボルト４を天井吊りボルト取付金具５にねじ込み先付けしたものを工場生産しておけば、取付現場では天井吊りボルト取付金具５をリップ付き溝型鋼３に取り付け、天井吊りボルト４の上端部４ａをリップ付き溝型鋼３の下フランジ部３ｃの裏面側に圧接するだけでよいから効率的に取付作業を行うことができると共に、取付現場に応じて、複数の天井吊りボルト取付金具５をリップ付き溝型鋼３に予め適当間隔に取り付け、現場での後付けによって各天井吊りボルト取付金具５に順次天井吊りボルト４をねじ込み、その上端部４ａをリップ付き溝型鋼３の下フランジ部３ｃの裏面側に圧接するようにしても効率的に取付作業を行うことができる。
【００１４】
請求項４に係る天井吊りボルト取付装置によれば、図１〜図４に示すように、天井吊りボルト取付金具５の水平基部片６と、その一端部の立ち上がり部片７の立ち上がり部７ａと、その他端部の立ち上がり部片８の立ち上がり部８ａと、リップ付き溝型鋼３の下フランジ部３ｃとに囲まれて空間部１０が形成され、該空間部１０で天井吊りボルト４の上端部４ａ付近が前記水平基部片６のネジ止め孔６ａにねじ止めされ、且つその上端部４ａがリップ付き溝型鋼３の下フランジ部３ｃに圧接されるようになっているため、天井吊りボルト４は、その上端部４ａ付近が前記水平基部片６のネジ止め孔６ａに余裕を持ってねじ止めされ、且つその上端部４ａがリップ付き溝型鋼３の下フランジ部３ｃに余裕を持って圧接され、天井吊りボルト４を天井吊りボルト取付金具５を介してリップ付き溝型鋼３に安定して且つ確実に取り付けることができる。
【００１５】
請求項５に係る天井吊りボルト取付装置によれば、図１、図５又は図３に示すように、前記水平基部片６の一端部又は他端部から立ち上がる立ち上がり部片７又は８の、リップ付き溝型鋼１の下フランジ部１ｃの下面に先端部７ａ１又は８ａ１が当接する立ち上がり部７ａ又は８ａの水平基部片６に対する立ち上がり角度Θは直角となっているため、前記水平基部片６の一端部から立ち上がる立ち上がり部片７又は８の立ち上がり部７ａ又は８とこの先端部７ａ１又は８ａ１から折曲されて延びて下フランジ部３ｃの裏面側に当接する下フランジ部当接部７ｂとの折曲角度Θ１と、前記水平基部片６と該水平基部片６の他端部から立ち上がる立ち上がり部片８又は７の立ち上がり部８ａ又は７ａとの間の立ち上がり角度Θ２とは、リップ付き溝型鋼１の各コーナー部が周知のように直角に形成されていることと相まって、同一角度Θ１＝Θ２に形成することができ、それがために天井吊りボルト取付金具５の製作をそれだけ容易に行うことができる。
【００１６】
請求項６に係る天井吊りボルト取付装置によれば、図５に示すように、屋根材１の勾配に合わせて種々の勾配角度に傾斜して配設される鉄骨製屋根骨枠２に直交して固着される鉄骨製母屋であるリップ付き溝型鋼３は、鉄骨製屋根骨枠２の勾配上面２ａに沿って取り付けられ、したがってリップ付き溝型鋼３は、その下フランジ部３が鉄骨製屋根骨枠２の勾配上面２ａにその勾配角度αに合わせて傾転状態に取り付けられるが、該リップ付き溝型鋼１に取り付けられる天井吊りボルト取付金具５の水平基部片６は、図６及び図７に示すように、該リップ付き溝型鋼３の種々の傾転角度α状態にかかわらず、常に水平状態Ｐとなって、これに天井吊りボルト４を垂直に取り付けることができるようになっているため、リップ付き溝型鋼３の種々の傾転角度αに対応した天井吊りボルト取付金具５を工場生産によって予め量産することができ、これによって取付作業現場の作業条件に即時に対応することでき実用的である。
【００１７】
請求項７に係る天井吊りボルト取付装置によれば、図５に示すように、屋根材１の勾配に合わせて種々の勾配角度に傾斜して配設される鉄骨製屋根骨枠２に直交して固着される鉄骨製母屋であるリップ付き溝型鋼３は、鉄骨製屋根骨枠２の勾配上面２ａに沿って取り付けられ、したがってリップ付き溝型鋼３は、鉄骨製屋根骨枠２の勾配角度αに合わせて傾転状態に鉄骨製屋根骨枠２の勾配上面２ａに取り付けられるが、該リップ付き溝型鋼１に取り付けられる天井吊りボルト取付金具５の水平基部片６は、図６及び図７に示すように、該リップ付き溝型鋼３の種々の傾転角度α状態にかかわらず、常に水平状態Ｐとなって、これに天井吊りボルト４を垂直に取り付けることができるようにするために、前記水平基部片６の、その一端部の立ち上がり部片７の立ち上がり部７ａと、その他端部の立ち上がり部片８の立ち上がり部８ａとの夫々の立ち上がり長さ７ａ２，８ａ２を調整したものを、予め工場生産によって量産することによって、取付作業現場の作業条件に即時に対応することでき、この面からも実用的である。
【図面の簡単な説明】
【００１８】
【図１】(a) は本発明に係る天井吊りボルト取付装置の使用状態を示す正面図、(b) は同右側面図、(c)は同左側面図である。
【図２】本発明に係る天井吊りボルト取付装置の他の実施形態を示す正面図である。
【図３】本発明に係る天井吊りボルト取付装置の他の実施形態を示す正面図である。
【図４】本発明に係る天井吊りボルト取付装置の他の実施形態を示す正面図である。
【図５】本発明に係る天井吊りボルト取付装置の作用を説明するための説明図である。
【図６】本発明に係る天井吊りボルト取付装置に用いられる天井吊りボルトの種々の変形例を示す説明図である。
【図７】本発明に係る天井吊りボルト取付装置に用いられる他の実施形態の天井吊りボルトの種々の変形例を示す説明図である。
【図８】この種の天井吊りボルト取付装置の従来技術を示す説明図である。
【発明を実施するための形態】
【００１９】
以下に本発明の好適な実施形態を図面に基づいて説明すると、図１の(a)〜 (c) は、本発明に係る天井吊りボルト取付装置の使用状態を示すものである。
【００２０】
従来から勾配屋根として、屋根下地や屋根ボード等からなる屋根材１が種々の勾配角度に形成されている。この種々の勾配角度に合わせて傾斜して高所から低部に向かって桁材として鉄骨製屋根骨枠２が配設されており、この鉄骨製屋根骨枠２に直交して水平材である鉄骨製母屋３が従来技術の同じように適当な固着具２０（図８参照）によって固着されている。本発明は、この鉄骨製母屋３を利用して、これに天井吊りボルト４を取り付けるようにした天井吊りボルト取付装置である。
【００２１】
鉄骨製母屋３は、従来周知のものであり、縦フランジ部３ａとその上部の上フランジ部３ｂとその下部の下フランジ部３ｃと上下フランジ部３ｂ，３ｃの先端部に開口部３ｄを挟んで互いに対向して突設される上下リップ部３ｅ，３ｆとからなり、夫々のコーナー角度が直角に形成されるリップ付き溝形鋼３からなっている。
【００２２】
図１に示す実施形態では、リップ付き溝型鋼３は、その前記開口部３ｄが鉄骨製屋根骨枠２に傾斜上り側に向くように固着されている。そして、このリップ付き溝型鋼３に、本発明に係る天井吊りボルト取付装置の取付金具５が取り付けられ、該取付金具５を介して天井吊りボルト４がリップ付き溝型鋼３に取り付けられるようになっている。
【００２３】
取付金具５は、天井吊りボルト４が垂直に嵌挿され且つねじ止めされるためのネジ止め孔６ａを有する水平基部片６と、水平基部片６の両端部から立ち上がる立ち上がり部片７，８とからなり、そのうちの一方の立ち上がり部片がリップ付き溝型鋼３の下リップ部３ｆに係合され、他方の立ち上がり部片８がリップ付き溝型鋼３の縦フランジ部３ｃにビス止めされ、しかして前記水平基部片６のねじ止め孔６ａに天井吊りボルト４がねじ込まれて該ボルト４の上端部４ａがリップ付き溝型鋼３の下フランジ部３ｃの下面に圧接されることによって、天井吊りボルト４が天井吊りボルト取付金具５を介して鉄骨製母屋であるリップ付き溝型鋼３に垂直に取り付けられるようになっている
【００２４】
更に詳しく説明すると、取付金具５は、天井吊りボルト２が垂直に嵌挿され且つねじ止めされるためのねじ止め孔６ａを有する水平基部片６に対して、その一端部から立ち上がる立ち上がり部片７は、リップ付き溝型鋼３の下フランジ部３ｃの下面に先端部７ａ１が当接する立ち上がる立ち上がり部７ａと、該立ち上がり部７ａの先端部７ａ１から折曲され上記下フランジ部３ｃの下面に沿って下リップ部３ｆ側に延びて下フランジ部３ｃの下面に当接すると共に、必要に応じて適宜ビス止めするためのビス挿通孔１１を有する下フランジ部当接部７ｂと、下フランジ部当接部７ｂから下リップ部３ｆの外側面に沿って立ち上がり下リップ部３ｆの外側面に当接する下リップ部当接部７ｃと、下リップ部当接部７ｃの上端部から下リップ部３ｆの内側面側に下向きＵ字状に折曲して下リップ部３ｆに係合する下リップ部係合部７ｄとからなり、これに対し前記水平基部片６に対してその他端部から立ち上がる立ち上がり部片８は、前記縦フランジ部３ａの下端部まで立ち上がる立ち上がり部８ａと、該立ち上がり部８ａの上部に一体に延長して前記縦フランジ部３ａの外側面に沿って延びて該縦フランジ部３ａに当接すると共に該縦フランジ部３ａにビス止めするためのビス挿通孔８１を有する縦フランジ部当接部８ｂとからなり、しかして、天井吊りボルト取付金具５の前記下リップ部係合部７ｄがリップ付き溝型鋼３の下リップ部３ｆに係合されると共に、下フランジ部当接部７ｂに適宜設けているビス挿通孔１１からビス１２を下フランジ部３ｃにねじ込まれ、縦フランジ部当接部８ｂのビス挿通孔８１からビス９がリップ付き溝型鋼３の縦フランジ部３ａにねじ込まれ、前記水平基部片６のねじ止め孔６ａに天井吊りボルト４がねじ込まれ、該ボルトの上端部４ａがリップ付き溝型鋼３の下フランジ部３ｃの下面に圧接することによって、天井吊りボルト４が天井吊りボルト取付金具５を介して鉄骨製母屋であるリップ付き溝型鋼３に垂直に取り付けられるようになっており、特にこの実施形態にあっては、図１（ｃ）に示すように、縦フランジ部３ａにねじ込まれるビス９は複数（２個）となっており、更に下フランジ部当接部７ｂに適宜設けているビス挿通孔１１から、図１（ｂ）にも示すように１個のビス１２を下フランジ部３ｃにねじ込むようになっているため、天井吊りボルト４を鉄骨製母屋であるリップ付き溝型鋼３に強固に取り付けることができる。又、天井吊りボルト４を天井吊りボルト取付金具５にねじ込み先付けしたものを工場生産しておけば、取付現場では天井吊りボルト取付金具５をリップ付き溝型鋼３に取り付け、天井吊りボルト４の上端部４ａをリップ付き溝型鋼３の下フランジ部３ｃの裏面側に圧接するだけでよいから効率的に取付作業を行うことができると共に、取付現場に応じて、複数の天井吊りボルト取付金具５をリップ付き溝型鋼３に予め適当間隔に取り付け、現場での後付けによって各天井吊りボルト取付金具５に順次天井吊りボルト４をねじ込み、その上端部４ａをリップ付き溝型鋼３の下フランジ部３ｃの裏面側に圧接するようにしても効率的に取付作業を行うことができる。
【００２５】
図２に示す実施形態と図１に示す実施形態との相違する箇所は、前記水平基部片６のねじ止め孔６ａのみであり、図１にあっては、水平基部片６にタッピングによってタップねじからなるねじ止め孔６ａを形成したものであるが、図２にあっては、図示のように空間部１０側からナット１３を水平基部片６に溶接することによって、水平基部片６にねじ止め孔６ａを形成したものである。なお、図中１４はロックナットである。図２にあっては、その他の構造は全く図１に示す実施形態と同じであるので、各構成要素に同一符号を付して説明を省略する。
【００２６】
図３に示す実施形態では、リップ付き溝型鋼３は、その前記開口部３ｄが鉄骨製屋根骨枠２に傾斜下り側に向くように固着されている。
【００２７】
そして、この実施形態にあっては、取付金具５は、天井吊りボルト２が垂直に嵌挿され且つねじ止めされるためのねじ止め孔６ａを有する水平基部片６に対して、その一端部から立ち上がる立ち上がり部片７は、前記縦下リップ部３ｆの下端部まで立ち上がる立ち上がり部７ａと、該立ち上がり部７ａの上部に一体に延長して前記下リップ部３ｆの外側面に沿って延びて該下リップ部３ｆに当接すると共に、必要に応じて適宜ビス止めするためのビス挿通孔１５を有する下リップ部当接部７ｃと、下リップ部当接部７ｃの上端部から下リップ部３ｆの内側面側に下向きＵ字状に折曲して下リップ部３ｆに係合する下リップ部係合部７ｄとからなり、これに対し前記水平基部片６に対してその他端部から立ち上がる立ち上がり部片８は、リップ付き溝型鋼３の下フランジ部３ｃの下面に先端部８ａ１が当接するまで立ち上がる立ち上がり部８ａと、該立ち上がり部８ａの先端部８ａ１から折曲され上記下フランジ部１ｃの下面に沿って縦フランジ３ａ側に延びて下フランジ部３ｃの下面に当接すると共に、必要に応じて適宜ビス止めするためのビス挿通孔１６を有する下フランジ部当接部８ｃと、下フランジ部当接部８ｃから縦フランジ部３ａの外側面に沿って立ち上がり、縦フランジ部３ａの外側面に当接すると共に該縦フランジ部３ａにビス止めするためのビス挿通孔８１を有する縦フランジ部当接部８ｂとからなり、しかして該天井吊りボルト取付金具５の前記下リップ部係合部７ｄをリップ付き溝型鋼３の下リップ部３ｆに係合すると共に、縦フランジ部当接部８ｂのビス挿通孔８１からビス９をリップ付き溝型鋼３の縦フランジ部３ａにねじ込み、更に下リップ部当接部７ｃ及び下フランジ部当接部８ｃに夫々適宜設けているビス挿通孔１５，１６からビス１７，１８を、下リップ部３ｆ及び下フランジ部３ｃに夫々ねじ込み、その後、後付によって、前記水平基部片６のねじ止め孔６ａに天井吊りボルト４がねじ込まれるか、前もって工場生産によって取付金具５に天井吊りボルト４をねじ込んでいたものを、更にねじ込んで、該ボルトの上端部４ａがリップ付き溝型鋼３の下フランジ部３ｃの下面に圧接されることによって、天井吊りボルト４が天井吊りボルト取付金具５を介して鉄骨製母屋であるリップ付き溝型鋼３に垂直に取り付けられるようになっており、特にこの実施形態では、縦フランジ部当接部８ｂのビス挿通孔８１からビス９をリップ付き溝型鋼３の縦フランジ部３ａにねじ込むのみならず、更に下リップ部当接部７ｃ及び下フランジ部当接部８ｃに夫々適宜設けているビス挿通孔１５，１６からビス１７，１８を下リップ部３ｆ及び下フランジ部３ｃに夫々ねじ込むようにしているため、天井吊りボルト４を鉄骨製母屋であるリップ付き溝型鋼３に強固に取り付けることができる。
【００２８】
この実施形態にあっても、天井吊りボルト４を天井吊りボルト取付金具５にねじ込み先付けしたものを工場生産しておけば、取付現場では天井吊りボルト取付金具５をリップ付き溝型鋼３に取り付け、天井吊りボルト４の上端部４ａをリップ付き溝型鋼３の下フランジ部３ｃの裏面側に圧接するだけでよいから効率的に取付作業を行うことができると共に、取付現場に応じて、複数の天井吊りボルト取付金具５をリップ付き溝型鋼３に予め適当間隔に取り付け、現場での後付けによって各天井吊りボルト取付金具５に順次天井吊りボルト４をねじ込み、その上端部４ａをリップ付き溝型鋼３の下フランジ部３ｃの裏面側に圧接するようにしても効率的に取付作業を行うことができる。
【００２９】
図４は、水平に設けられた屋根下地や屋根ボード等或いはコンクリート陸屋根等からなる屋根材１に、これに平行して設けた鉄骨製屋根骨枠２に直交して固着された水平材である鉄骨製母屋３に、本発明に係る取付金具５を取り付けたものであり、その他の構造は図１に示す実施形態と全く同じであるので、同一符号を付すことによって、その説明を省略する。このように、本発明にあっては、水平に設けられた屋根材１に、これに平行して設けた鉄骨製屋根骨枠２に直交して固着された鉄骨製母屋であるリップ付き溝型鋼３も、請求項１〜３の概念に含まれるものである。
【００３０】
図５は、本発明に係る天井吊りボルト取付装置の作用を説明するための図である。
即ち、図１〜図４にも示すように、天井吊りボルト取付金具５の水平基部片６と、その一端部の立ち上がり部片７の立ち上がり部７ａと、その他端部の立ち上がり部片８の立ち上がり部８ａと、リップ付き溝型鋼３の下フランジ部３ｃとに囲まれて空間部１０が形成され、該空間部１０で天井吊りボルト４の上端部４ａ付近が前記水平基部片６のネジ止め孔６ａにねじ止めされ、且つその上端部４ａがリップ付き溝型鋼３の下フランジ部３ｃに圧接されるようになっているため、天井吊りボルト４は、その上端部４ａ付近が前記水平基部片６のネジ止め孔６ａに余裕を持ってねじ止めされ、且つその上端部４ａがリップ付き溝型鋼３の下フランジ部３ｃに余裕を持って圧接され、天井吊りボルト４を天井吊りボルト取付金具５を介してリップ付き溝型鋼３に安定して且つ確実に取り付けることができる。
【００３１】
又、図３又は図５に示すように、前記水平基部片６の一端部又は他端部から立ち上がる立ち上がり部片７又は８の、リップ付き溝型鋼３の下フランジ部３ｃの下面に先端部７ａ１又は８ａ１が当接する立ち上がり部７ａ又は８ａの水平基部片６に対する立ち上がり角度Θは直角となっているため、前記水平基部片６の一端部から立ち上がる立ち上がり部片７の立ち上がり部７ａ又は８ａとこの先端部７a1から折曲されて延びて下フランジ部３ｃの裏面側に当接する下フランジ部当接部７ｂとの折曲角度Θ１と、前記水平基部片６と該水平基部片６の他端部から立ち上がる立ち上がり部片８又は７の立ち上がり部８ａ又は７ａとの間の立ち上がり角度Θ２とは、リップ付き溝型鋼１の各コーナー部が周知のように直角に形成されていることと相まって、種々の勾配角度に合わせて傾斜して配設された鉄骨製屋根骨枠２の勾配角度に合わせて、どのような傾斜角度に傾斜して設けられたリップ付き溝形鋼３にあっても、これに取り付けられる天井吊りボルト４を取付金具５の上記角度Θ１＝Θ２と同一角度に形成することができるため天井吊りボルト取付金具５の製作をそれだけ容易に行うことができる。
【００３２】
更に、図５に示すように、屋根材１の勾配に合わせて種々の勾配角度に傾斜して配設される鉄骨製屋根骨枠２に直交して固着される鉄骨製母屋であるリップ付き溝型鋼３は、鉄骨製屋根骨枠２の勾配上面２ａに沿って取り付けられ、したがってリップ付き溝型鋼３は、その下フランジ部３が鉄骨製屋根骨枠２の勾配上面２ａにその勾配角度αに合わせて傾転状態に取り付けられるが、該リップ付き溝型鋼１に取り付けられる天井吊りボルト取付金具５の水平基部片６は、図６及び図７に示すように、該リップ付き溝型鋼３の種々の傾転角度α状態にかかわらず、常に水平状態Ｐとなって、これに天井吊りボルト４を垂直に取り付けることができるようになっているため、リップ付き溝型鋼３の種々の傾転角度αに対応した天井吊りボルト取付金具５を工場生産によって予め量産することができ、これによって取付作業現場の作業条件に即時に対応することでき実用的である。
【００３３】
更に又、図５に示すように、屋根材１の勾配に合わせて種々の勾配角度に傾斜して配設される鉄骨製屋根骨枠２に直交して固着される鉄骨製母屋であるリップ付き溝型鋼３は、鉄骨製屋根骨枠２の勾配上面２ａに沿って取り付けられ、したがってリップ付き溝型鋼３は、鉄骨製屋根骨枠２の勾配角度αに合わせて傾転状態に鉄骨製屋根骨枠２の勾配上面２ａに取り付けられるが、該リップ付き溝型鋼１に取り付けられる天井吊りボルト取付金具５の水平基部片６は、図６及び図７に示すように、該リップ付き溝型鋼３の種々の傾転角度α状態にかかわらず、常に水平状態Ｐとなって、これに天井吊りボルト４を垂直に取り付けることがてきるようにするために、前記水平基部片６の、その一端部の立ち上がり部片７の立ち上がり部７ａと、その他端部の立ち上がり部片８の立ち上がり部８ａとの夫々の立ち上がり長さ７ａ２，８ａ２を調整したものを、予め工場生産によって量産することによって、取付作業現場の作業条件に即時に対応することでき、この面からも実用的である。
【００３４】
図６は、図１、図２及び図４に示すように、開口部３ｄが鉄骨製屋根骨枠２に傾斜上り側に向いた種々の傾斜角度のリップ付き溝型鋼３にその傾斜角度に合わせた取付金具５を介して天井吊りボルト２を垂直に吊持するようにした説明図であり、図７は、開口部３ｄが鉄骨製屋根骨枠２に傾斜下り側に向いた種々の傾斜角度のリップ付き溝型鋼３にその傾斜角度に合わせた取付金具５を介して天井吊りボルト２を垂直に吊持するようにした説明図であり、両図において、（ａ）は、水平面Ｐに対して傾斜角度が０°のリップ付き溝型鋼３に、０°の傾斜角度α０の取付金具５を取り付けた状態を示し（図４に示す実施形態）、（ｂ）は、傾斜角度が５°のリップ付き溝型鋼３に、５°の傾斜角度α１の取付金具５を取り付けた状態を示し、（ｃ）は、傾斜角度が１０°のリップ付き溝型鋼３に、１０°の傾斜角度α２の取付金具５を取り付けた状態を示し、（ｄ）は、傾斜角度が１５°のリップ付き溝型鋼３に、１５°の傾斜角度α３の取付金具５を取り付けた状態を示し、（ｅ）は、傾斜角度が２０°のリップ付き溝型鋼３に、２０°の傾斜角度α４の取付金具５を取り付けた状態を示し、（ｆ）は、傾斜角度が２５°のリップ付き溝型鋼３に、２５°の傾斜角度α５の取付金具５を取り付けた状態を示した実施形態を模式的に示したものである。
【００３５】
このような種々の傾斜角度の取付金具５は、前述のように、立ち上がり部７ａ又は８ａの水平基部片６に対する立ち上がり角度Θを直角とすることによって、該角度Θを挟んだ両側に位置する部片の曲げ角度Θ１とΘ２とは同一角度に形成することができ、又、前述のように、リップ付き溝型鋼１に取り付けられる天井吊りボルト取付金具５の水平基部片６を該リップ付き溝型鋼３の種々の傾転角度状態にかかわらず、常に水平状態とするために、水平基部片６の、その一端部の立ち上がり部片７の立ち上がり部７ａと、その他端部の立ち上がり部片８の立ち上がり部８ａとの夫々の立ち上がり長さ７ａ２，８ａ２を調整したものを、予め工場生産によって量産することによって、取付作業現場の作業条件に即時に対応することできることになる。
【００３６】
更に、天井吊りボルト取付金具５の水平基部片６とリップ付き溝型鋼３の下フランジ部３ｃとの間には、取付金具５の種々の傾斜角度如何によらず、常に空間部１０が形成されるため、天井吊りボルト４の上端ねじ部を天井吊りボルト取付金具５に安定して確実に取り付けることができる。
【符号の説明】
【００３７】
１      屋根材
２      鉄骨製屋根骨枠
３      鉄骨製母屋であるリップ付き溝型鋼
４      天井吊りボルト
４ａ    天井吊りボルトの上端部
５      取付金具
６      水平基端部
６ａ    ねじ挿通孔
７      立ち上がり部片
８      立ち上がり部片
９      ビス
１０    空間部
【図１】
0006426988.tif 000002
【図２】
0006426988.tif 000003
【図３】
0006426988.tif 000004
【図４】
0006426988.tif 000005
【図５】
0006426988.tif 000006
【図６】
0006426988.tif 000007
【図７】
0006426988.tif 000008
【図８】
0006426988.tif 000009